(57)【要約】【課題】移動、拡大、縮小等の後処理が不要で印刷まで完了できる画像形成装置及び画像形成方法を提供する。【解決手段】操作パネルが画像形成装置本体から取り外された状態において撮像手段で撮影した被写体データと、読取手段で読取った原稿データとを合成した合成画像データとして表示手段に表示し合成画像データを印刷手段で印刷出力するようにした。【選択図】図２
2013179463.tif 000002
【特許請求の範囲】
【請求項１】
原稿を読取る読取手段及び印刷出力を行う印刷手段を備えた画像形成装置本体と、
表示内容が変更可能な表示手段及び被写体を撮影する撮像手段を備え、前記画像形成装置本体に着脱可能な操作パネルと、
前記画像形成装置本体、及び前記操作パネルと通信可能に接続する通信手段とを備えた画像形成装置であって、
前記操作パネルが前記画像形成装置本体から取り外された状態において前記撮像手段で撮影した被写体データと、前記読取手段で読取った原稿データとを合成した合成画像データとして前記表示手段に表示し、該合成画像データを前記印刷手段で印刷出力するようにしたことを特徴とする画像形成装置。
【請求項２】
前記操作パネルが前記画像形成装置本体から取り外された状態において、前記読取手段で読取った原稿データと共に、前記撮像手段のモニタ画像が前記表示手段に表示されるようにしたことを特徴とする請求項１記載の画像形成装置。
【請求項３】
前記表示手段に表示される合成画像データは、前記印刷手段による印刷出力と同じ比率となるように、前記被写体データと前記原稿データとが同じ比率で縮小表示もしくは拡大表示されるようにしたこと請求項１または２記載の画像形成装置。
【請求項４】
前記原稿データが前記表示手段に表示された状態で前記被写体データを合成するエリアを設定する合成エリア設定手段を備え、
前記操作パネルが前記画像形成装置本体から取り外された状態のときに、前記合成エリア設定手段で設定したエリアが前記表示手段に表示されるようにしたことを特徴とする請求項１から３のいずれか一項記載の画像形成装置。
【請求項５】
前記合成エリア設定手段は複数のエリアが設定可能であって、
前記操作パネルが前記画像形成装置本体から取り外された状態のときに、前記合成エリア設定手段で設定したエリアが前記表示手段に表示されると共に、複数エリアの被写体データが個別に取得できるようにしたことを特徴とする請求項４記載の画像形成装置。
【請求項６】
前記写体データを取得した後に前記合成画像データを修正する合成画像データ修正手段を備え、
前記合成画像データ修正手段は、前記原稿データに対する前記被写体データの位置、大きさ、回転、色、及び輝度の少なくとも１つを調整できるようにしたことを特徴とする請求項１から５のいずれか一項記載の画像形成装置。
【請求項７】
前記撮像手段は静止画撮影及び動画撮影の機能を備えると共に、前記動画撮影で被写体データを取得したときは、任意の撮影時間における被写体データを選択する動画像選択機能を備え、
前記動画像選択機能で選択した被写体データ及び前記原稿データを前記合成画像データとして前記印刷手段で印刷出力するようにしたことを特徴とする請求項１から６のいずれか一項記載の画像形成装置。
【請求項８】
前記通信手段は無線通信方式を用い、前記操作パネルを前記画像形成装置本体に取り付けることなく前記合成画像データを前記印刷手段で印刷出力するようにしたことを特徴とする請求項１から７のいずれか一項記載の画像形成装置。
【請求項９】
前記操作パネルは前記画像形成装置本体を操作する少なくとも一部の機能を備えたことを特徴とする請求項１から８のいずれか一項記載の画像形成装置。
【請求項１０】
原稿を読取る読取手段及び印刷出力を行う印刷手段を備える画像形成装置本体と、
表示内容が変更可能な表示手段及び被写体を撮影する撮像手段を備え、前記画像形成装置本体に着脱可能な操作パネルと、
前記画像形成装置本体及び前記操作パネルを通信可能に接続する通信手段と、を備えた画像形成装置の画像形成方法であって、
前記読取手段で原稿を原稿データとして読取るステップと、
前記操作パネルが前記画像形成装置本体から取り外された状態において、前記撮像手段のモニタ画像が前記原稿データと共に前記表示手段に表示されるステップと、
前記撮像手段で撮影した被写体データ及び前記原稿データを合成した合成画像データを前記印刷手段で印刷出力するステップと、を備えたことを特徴とする画像形成装置の画像形成方法。
【発明の詳細な説明】
【技術分野】
【０００１】
本発明は、画像形成装置及び画像形成方法に関し、特に、装置本体から取り外し可能な操作パネルを有する画像形成装置及び画像形成方法に関する。
【背景技術】
【０００２】
操作パネルを装置本体から取り外し、リモートコントローラとして使用する画像読取装置として、次のような技術が提案されている（特許文献１、２）。
【０００３】
特許文献１に記載の発明は、「操作パネル及び画像形成装置」に関する発明であり、具体的には、「電子機器の操作機能に対応した選択項目を選択するために前記電子機器の本体に設けられる複数の操作パネルと、該操作パネルの各々にて選択された前記選択項目を示す選択情報を前記電子機器に出力する選択情報出力手段と、を備える操作パネルにおいて、（イ）前記操作機能を選択するための表示選択項目を表示する表示手段と、該表示手段に表示された表示選択項目の選択を検出する選択検出手段と、前記本体から取り外されたときに前記操作パネルの各々に対応した前記選択項目を前記表示選択項目と共に前記表示手段に表示させる制御を行う表示制御手段と、を有して前記本体に着脱自在に設けられる表示操作パネルと、（ロ）前記本体から取り外された前記表示操作パネルの選択検出手段による選択結果を前記選択情報として前記表示操作パネルから取り込む選択情報取込手段と、をさらに備えて、前記選択情報出力手段が、前記選択情報取込手段によって取り込まれた選択情報を前記電子機器に出力するようにした」ものである。
【発明の概要】
【発明が解決しようとする課題】
【０００４】
特許文献１に記載の技術は、画像形成装置から操作パネルを取り外して操作する点については開示されている。
しかしながら、操作パネルにて操作できるのは単に電源のオンオフや印刷開始や停止程度の操作しか行うことができなかった。
【０００５】
そこで、本発明の目的は、画像形成装置から取り外し可能で撮影機能及び表示機能を有する操作パネルで構図を合わせた後は簡単な操作で印刷まで完了できる画像形成装置及び画像形成方法を提供することにある。
【課題を解決するための手段】
【０００６】
上記課題を解決するため、請求項１に係る発明は、原稿を読み取る読取手段及び印刷出力を行う印刷手段を備えた画像形成装置本体と、表示内容が変更可能な表示手段及び被写体を撮影する撮像手段を備え、前記画像形成装置本体に着脱可能な操作パネルと、前記画像形成装置本体、及び前記操作パネルと通信可能に接続する通信手段とを備えた画像形成装置であって、前記操作パネルが前記画像形成装置本体から取り外された状態において前記撮像手段で撮影した被写体データと、前記読取手段で読み取った原稿データと、を合成した合成画像データとして前記表示手段に表示し、該合成画像データを前記印刷手段で印刷出力するようにしたことを特徴とする。
【発明の効果】
【０００７】
本発明によれば、構図を合わせた後は簡単な操作で印刷まで完了できる画像形成装置及び画像形成方法の提供を実現することができる。
【図面の簡単な説明】
【０００８】
【図１】一実施形態に係る画像処理装置の概観図である。
【図２】（ａ）〜（ｆ）は、図１に示した画像形成装置１０の操作パネル２が分割され、取り外しできる点についての説明図である。
【図３】図１に示した画像形成装置の本体側装置及び操作パネルのブロック図の一例である。
【図４】（ａ）は、画像形成装置本体に取り付けたときの操作パネルによる待機状態の一例を示す図であり、（ｂ）は、図１に示した画像形成装置の外観斜視図である。
【図５】（ａ）は、画像形成装置本体から取り外された操作パネルによる待機状態を示す図であり、（ｂ）は、図４（ｂ）に示した画像形成装置から操作パネルを取り外したときの外観斜視図である。
【図６】（ａ）は、画像形成装置本体から取り外された操作パネルによる全体表示時の読取原稿プレビューを示す図であり、画像形成装置本体から取り外された操作パネルによる拡大表示時の読取原稿プレビューを示す図であり、（ｃ）は、図４（ｂ）に示した画像形成装置から操作パネルを取り外したときの外観斜視図である。
【図７】（ａ）は、画像形成装置本体から取り外された操作パネルによる操作部取り外し時のカメラ撮影画像プレビュー表示状態を示す図であり、（ｂ）は、図６（ｂ）に示した画像形成装置から操作パネルを取り外したときの外観斜視図である。
【図８】画像形成装置本体から取り外された操作パネルによる合成位置調整前の全体表示時の読取原稿・カメラ撮影画像合成状態を示す図である。
【図９】画像形成装置本体から取り外された操作パネルによる合成位置調整前・拡大表示時の読取原稿・カメラ撮影画像合成状態を示す図である。
【図１０】（ａ）は、画像形成装置本体から取り外された操作パネルによる取り外し時の読取原稿・カメラ撮影画像合成編集状態（合成位置調整後、拡大表示時）を示す図であり、（ｂ）は、画像形成装置本体から取り外された操作パネルをユーザが撮影する状態を示す図である。
【図１１】（ａ）は、画像形成装置本体から取り外された操作パネルによる操作部取り外し時：全体表示時の合成完了後結果出力状態を示す図であり、（ｂ）は、図４（ｂ）に示した画像形成装置から操作パネルを取り外したときの外観斜視図である。
【図１２】図１に示した画像形成装置の動作を説明するためのフローチャートの一例である。
【図１３】図１に示した画像形成装置の動作を説明するためのフローチャートの他の一例である。
【図１４】（ａ）は、読み取った原稿データ（例えば、感謝状）を表示装置２１ａに表示した状態を示す図であり、（ｂ）は、合成エリアを設定（中央の破線部）した状態を示す図であり、（ｃ）は、表示装置２１ａのブロックを動かして被写体の位置の調整中を示す図であり、（ｄ）は、所望の位置と大きさとを決めて撮影した状態を示す図である。
【発明を実施するための形態】
【０００９】
＜特徴点＞
本実施形態の一番の特徴点としては、撮影時に原稿データに対する被写体データ（画像）の位置と大きさを正しく決定できるので、後処理（移動、拡大縮小など）が不要で印刷まで完了できる点にある。その上で後処理できるとさらに良い。すなわち、カメラ画像データを画像形成装置読取部から取り込んだデータと合成して出力可能とすることで、画像への変更が容易に可能としたものである。
【００１０】
＜構  成＞
次に一実施形態に係る画像形成装置について図面を参照して説明する。
図１は、本発明の実施形態に係る画像処理装置の概観図である。
図１に示すように、画像処理装置１０は、図中上方に位置する原稿をスキャナ３に送るＡＤＦ(Auto Document Feeder：自動原稿送付装置)１、コピーする原稿を読み取るスキャナ３及びコピーした画像を出力するプリンタ５（本体に内蔵されているため図中では視認できない）、用紙トレイ６、操作パネル２、及び排紙トレイ４から構成されている。
【００１１】
画像形成装置本体の構成は、下から順に用紙トレイ（例では４段構成）６、画像形成部（プリンタ）５、排紙トレイ（方式によっては本トレイのない場合もある）４、画像読み取り部（スキャナ）３、及び排紙トレイが実装されている。
【００１２】
図２（ａ）〜（ｆ）は、図１に示した画像形成装置１０の操作パネル２が分割され、取り外しできる点についての説明図である。
操作パネル２には、コピー、スキャナ、プリンタ等のアプリケーションを決定するためのキースイッチやＬＥＤ(Light Emitting Diode:発光ダイオード)等の操作部２ａが実装されている。（図２（ａ））
操作部２ａは、リモートコントロール操作では、必要ないキースイッチやＬＥＤ等を有するため、本実施形態では取り外さないことを前提としている（図２（ｂ））。
【００１３】
操作パネル２１は、表示装置(例えば、ＬＣＤ：Liquid Crystal Display：液晶表示装置)２１ａと、表示装置２１ａの画面での入力装置（タッチパネル）と、その反対面に設けられたカメラ（反対面ではない部位にカメラ２１ｂが実装されている場合も含む）２１ｃとが実装されている（図２（ｃ）、（ｄ））。
【００１４】
操作パネル２２は、コピーの部数等を入力するテンキーのキースイッチや、コピーやプリントを決定や中止するためのスタート、ストップのキースイッチや、ＬＥＤが実装されている（２２ａはカメラである）。
【００１５】
操作パネル２１、２２は、画像形成装置本体から取り外して、リモートコントローラとして遠隔操作も可能とする（図２（ｅ）、（ｆ））。
【００１６】
次に、図５を参照して、上述した本実施形態の要部の機能構成を説明する。
図５は、図１に示した画像形成装置の本体側装置及び操作パネルのブロック図の一例である。
図示のように、操作パネル２１は、表示装置２１ａの他、中央演算装置等で構成される制御部１１０、不揮発性の二次記憶である第２の記憶部１１２、有線インタフェース１１３、無線インタフェース１１４、及びカメラ２１ｃを有する。
対して、本体側装置２００は、同様に、制御部２１０、第１の記憶部２１２、有線インタフェース２１３、無線インタフェース２１４を有する。
【００１７】
有線インタフェース１１３、２１３や、無線インタフェース１１４、２１４によって画像形成装置１の本体側装置２００と、取り外された操作パネル２１は双方向通信をしている。第１の記憶部２１２と第２の記憶部１１２とは、表示装置２１ａに表示する表示内容を記憶する。
【００１８】
＜動  作＞
図４〜図８に画像形成装置と、装置本体から取り外された操作パネルによる画像の合成と結果出力の一例を示す。
図４（ａ）に示す操作パネル２１は、図４（ｂ）に示す画像形成装置本体に装着されて、画像形成装置１０が待機状態で通常ユーザが使用するときの表示装置２１ａの画面を表す。操作パネル２１は、画像形成装置本体に装着されているときには操作ボタンは不要なため表示されない。
【００１９】
図５（ｂ）に示す画像形成装置１０から操作パネル２１が取り外され、画像形成装置１０が待機状態でユーザが使用するときの通常の表示装置２１ａの画面を表す（図５（ａ））。
画像形成装置本体から操作パネル２１が取り外されると、操作パネル２１の操作を行うためのボタン２１ｃを含むボタンが操作パネル２１の表示装置２１ａに表示される。
これらのボタン群により、画像形成装置１０から取り外された操作パネル２１のみで全種類の操作が可能である（操作パネル２ａ、２２（図２参照）の機能も操作パネル２１の表示装置２１ａに表示される。）。
【００２０】
図６（ａ）は、操作パネル２１の表示装置２１ａに読み取った原稿全体のプレビュー表示の状態を示す図であり、図６（ｂ）は、画像形成装置１０から取り外された操作パネル２１の表示装置２１ａに表示された原稿拡大プレビュー表示を示す図であり、図６（ｃ）は、画像形成装置１０から操作パネル２１が取り外された状態を示す図である。
【００２１】
読取結果にユーザが合成画像の追加位置を検討する場合や、読取結果をより詳細に確認したい場合は、図６（ａ）に示した表示に切り替えることが可能である。
【００２２】
図７（ａ）は、ユーザが操作パネル２１のカメラ２１ｂにより撮影されたテーブル３１上のキー３２（図７（ｂ））のカメラ画像と合成した、表示装置２１ａ上のカメラ画像プレビューの表示の一例である。
このとき、操作パネル２１の操作により編集モードに設定されているとする。
ユーザはこのプレビュー表示を見て、合成すべき被写体を撮影することができる。尚、原稿については省略されている。また、図７（ａ）に示す状態をモニタ状態という。このモニタ状態の画面に図示されない原稿を重ねると、図８のような画面になる。
【００２３】
図８は、操作パネル２１の表示装置２１ａにおけるカメラ画像データと原稿読取データとを合成した状態のプレビュー表示である。
この表示で結果出力することも可能であるが、原稿読取データやカメラ画像データもしくは両方のデータに編集(例えば移動、拡大、縮小、一部分のみ抽出)が必要な場合もある。その場合の一例としてカメラ画像データを移動する状態を図９、図１０に示す。
図９は、カメラ画像データ中心に拡大表示状態とした状態である。
図１０（ｂ）は、ユーザが操作パネル２１を持ちながら指で操作している状態を示す図であり、図１０（ａ）は、操作パネル２１の編集モードにおける操作状態を示す図である。図１０（ａ）ではキーの画像を右方向に移動させている。
【００２４】
図１１（ａ）は、図１１（ｂ）に示した画像形成装置１０から取り外した操作パネル２１の表示装置２１ａにおける、合成完了後、即ち編集操作後の結果出力状態（操作パネル２１の取り外し時：全体表示時）を示す図である。
【００２５】
図１２は、図１に示した画像形成装置の動作を説明するためのフローチャートの一例である図１４（ａ）は、読み取った原稿データ（例えば、感謝状）を表示装置２１ａに表示した状態を示す図であり、図１４（ｂ）は、合成エリアを設定（中央の破線部）した状態を示す図である。合成エリアの設定はカーソル使用したり、タッチパネルを使用したりすることにより実行できる。図１４（ｃ）は、表示装置２１ａのブロックを動かして被写体の位置の調整中を示し、図１４（ｄ）は、所望の位置と大きさとを決めて撮影した状態を示す図である。
【００２６】
動作の主体は、画像形成装置１０の本体側装置２００の制御部２１０もしくは操作パネル２１の制御部１１０（図３参照）である。
画像形成装置待機表示１０が動作を開始すると、待機表示を行う（ステップＳ１００：図４（ａ）または図５（ａ））。
【００２７】
制御部２１０は、原稿読取操作が行われたか否かを判断する。図４（ａ）、（ｂ）に示す状態の時は、図２（ａ）に示す操作パネル２２の右下のボタン２２ａを押すことでスタートする。
図５（ａ）、（ｂ）に示す状態の時は、操作パネル２１の表示装置２１ａの右下のボタン２１ｄを押すことでスタートする。尚この時は動作の主体は制御部１１０に代わる（ステップＳ１０１）。
制御部１１０は、原稿読取操作がされていないと判断した場合（ステップＳ１０１／Ｎｏ）には待機表示に戻り、原稿読取操作がされたと判断した場合（ステップＳ１０１／Ｙｅｓ）、ステップＳ１０２に進む。
【００２８】
ステップＳ１０２では、操作パネル２１からの指示により画像形成装置本体で原稿を読み取り、原稿データを取得し、ステップＳ１０３に進む。
【００２９】
ステップＳ１０３では、原稿プレビューの表示が行われる。図６（ａ）は、操作パネル２１の表示装置２１ａに原稿プレビューを表示した状態を示し、図６（ｂ）は、操作パネル２１が取り外された画像形成装置１０を示す。図１４（ａ）は、感謝状のフォーマットの一例を示す。感謝状の中央は余白となっており、写真データを貼り付けられるようになっている。
【００３０】
制御部１１０は、カメラモードが設定されているか否かを判断し（ステップＳ１０４）、カメラモードが設定されている、すなわちカメラでの撮影モードであると判断した場合（ステップＳ１０４／Ｙｅｓ）、ステップＳ１０５に進み、カメラモードが設定されていない、すなわちカメラでの撮影モードでないと判断した場合（ステップＳ１０４／Ｎｏ）、ステップＳ１０９に進む。
【００３１】
制御部１１０は、操作部２１が画像形成装置１０から分離、すなわち取り外されているか否かを判断する（ステップＳ１０５）。制御部１１０は、操作部２１が分離されておらず画像形成装置１０に装着されていると判断した場合（ステップＳ１０５／Ｎｏ）、ステップＳ１０４に戻り、操作部２１が分離されていると判断した場合（ステップＳ１０５／Ｙｅｓ）、ステップＳ１０６に進む。
【００３２】
制御部１１０は、ステップＳ１０６にて、原稿＋モニタ合成表示を行う。すなわち、図８、図９、図１０に示す画像を表示する。
【００３３】
制御部１１０は、撮影済か否かを判断する。すなわち、ユーザにより撮影が実行された場合には画像データを取得し（ステップＳ１０７／Ｙｅｓ）、ステップＳ１０９に進み、撮影が実行されていない場合には制御部１１０は、ユーザが構図設定中であると判断し（ステップＳ１０７／Ｎｏ）、ステップＳ１０８に進む。
【００３４】
ステップＳ１０８では、制御部１１０は、カメラモードが解除されているか否かを判断する。すなわち、撮影実行前に撮影モードを解除した場合（ステップＳ１０８／Ｙｅｓ）、ステップＳ１０９に進み、撮影モード継続した場合（ステップＳ１０８／Ｎｏ）、ステップＳ１０６に戻る。
【００３５】
ステップＳ１０９では、制御部１１０は、編集モードに設定されたか否かを判断する。制御部１１０は、編集モードに設定されたと判断した場合（ステップＳ１０９／Ｙｅｓ）、ステップＳ１１０に進み、編集モードに設定されていないと判断した場合（ステップＳ１０９／Ｎｏ）、ステップＳ１１２に進む。
【００３６】
ステップＳ１１０では、制御部１１０はユーザの操作により（図１０（ｂ））、画像データを修正した後、図１０（ａ）の操作パネル２１の表示装置２１ａに読取原稿プレビューを表示し、図１１（ａ）の操作パネル２１の表示装置２１ａに読取原稿プレビューを表示し、ステップＳ１１１に進む。
【００３７】
ステップＳ１１１では、制御部１１０は、編集済か否かを判断する。編集済である、すなわち編集終了であると判断した場合（ステップＳ１１１／Ｙｅｓ）、ステップＳ１１２に進み、編集済でない、すなわち編集中であると判断した場合（ステップＳ１１１／Ｎｏ）、ステップＳ１１０に戻る。
【００３８】
ステップＳ１１２では、制御部１１０は、印刷決定か否かを判断し、印刷決定の場合は（ステップＳ１１２／Ｙｅｓ）、操作パネル２１から画像形成装置本体へ印刷の指示を送ることにより、制御部２１０により印刷を実行し（ステップＳ１１３）、印刷決定でない場合（ステップＳ１１２／Ｎｏ）は、印刷キャンセルし、ステップＳ１００に戻る。図１１（ａ）、（ｂ）、図１４（ｄ）参照。
【００３９】
図１４（ｂ）の破線で示す合成エリアの設定は、ステップＳ１０３以降で撮影実行までのいずれの段階で設定しても良い。
【００４０】
図１３は、図１に示した画像形成装置の動作を説明するためのフローチャートの他の一例である。
図１３に示したフローチャートは、原稿データを予め記録している場合を示すものであり、ステップＳ２０１を除き、ステップＳ２００〜Ｓ２１３は、ステップＳ１００〜Ｓ１１３と同様のため、説明を省略する。
【００４１】
制御部１１０は、原稿読取操作がされたか否かを判断し（ステップＳ２０１）、原稿読取操作がされていないと判断した場合（ステップＳ２０１／Ｎｏ）、記録済みの原稿（記録原稿）が選択されたか否かを判断する（ステップＳ２１４）。
制御部１１０は、記録原稿が選択されていないと判断した場合（ステップＳ２１４／Ｎｏ）、ステップＳ２００に戻り、記録原稿が選択されたと判断した場合（ステップＳ２１４／Ｙｅｓ）、原稿を選択して原稿データを設定し（ステップＳ２１５）、ステップＳ２０３に進む。
【００４２】
図１４（ａ）に示す画像データやこれに準ずる画像データを予め用意しておき、ステップＳ２１４で選択するのが好ましい。このとき、図１４（ｂ）に示す合成エリアの設定なども予め登録しておくことで、図１４（ｃ）に示すようにカメラの構図を設定するだけで、簡単に図１４（ｄ）の最終状態を取得することができる。
【００４３】
このようにユーザが表示装置２１ａを見ながら被写体の位置と大きさとの合せこみを行うことになるので、後処理不要で図２０の印刷出力を得ることができる。
図１４（ｃ）ではモニタ状態でエリア外に被写体が表示されないようにしているが、モニタ時にはエリア外にも被写体が表示されていて撮影後にエリア外の被写体データを表示しないようにしてもかまわない。いずれにしても、印刷出力ではエリア外に被写体データが印刷されない。
【００４４】
尚、上述した実施の形態は、本発明の好適な実施の形態の一例を示すものであり、本発明はそれに限定されることなく、その要旨を逸脱しない範囲内において、種々変形実施が可能である。例えば、上述した実施の形態では、感謝状を例に説明したが、本発明はこれに限定されるものではなく、卒業式、入学式、パーティー、法事等冠婚葬祭の記録に適用することが可能である。
【００４５】
＜作用効果＞
以上において、本実施形態によれば、ユーザはモニタ表示を見ながら被写体に対して操作ブロックの位置を自由に動かす（上下、左右、前後）ことにより原稿データに対して任意の場所に所望の大きさで被写体データを設定できるので、画像処理ソフトやマウス操作することなく後処理まで終了できる。
すなわち、ユーザが表示装置を見ながら被写体の位置と大きさの合せこみを行うことができるので、図６の状態から一気に図１１の状態で撮影を行って、印刷出力を得ることができる。
【００４６】
撮影画像が読取済原稿に対してどのような大きさになるのか、原稿データの全体が表示されている場合でも、原稿データの一部が拡大表示されている場合でも、その時の比率に合わせて被写体データサイズが変更される。
すなわち、図８、９の状態であり、原稿データの拡大に伴って被写体データも同じ比率で拡大される。モニタ時でも、撮影後に行う調整時でも行える。
【００４７】
エリアを複数設定することにより同時に撮影できない場合にも対応できる。撮影できるエリアの表示の色、輝度などを変えると良い。
【００４８】
デジタルカメラでは静止画撮影に加えて動画撮影も一般的に行われている。動画機能を利用することで原稿データに対する最適な被写体データを撮影後に選択することができる。最適データを選んだ後にさらに修正手段を実行しても良い。
【００４９】
通信手段は無線による通信方式であって、操作パネルを装置本体から取り付けることなく合成画像データを印刷手段で印刷出力するように構成してもよい。
【００５０】
操作パネルは画像形成装置本体を操作する一部または全部の機能を備えてもよい。
【符号の説明】
【００５１】
１    ＡＤＦ
２、２１、２２    操作パネル
２ａ    操作部
２ｂ、２１ｂ、２１ｃ、２２ａ    カメラ
３    スキャナ
４    排紙トレイ
５    プリンタ
６    用紙トレイ
１０    画像形成装置
２１ａ    表示装置
２１ｄ、２２ｂ    ボタン
３１    テーブル
３２    キー
１１０、２１０    制御部
１１２    第２の記憶装置
１１３、２１３    有線Ｉ／Ｆ
１１４、２１４    無線Ｉ／Ｆ
２００    本体側装置
２１２    第１の記憶部
【先行技術文献】
【特許文献】
【００５２】
【特許文献１】特許４３８７９６１号公報
【図１】
2013179463.tif 000003
【図２】
2013179463.tif 000004
【図３】
2013179463.tif 000005
【図４】
2013179463.tif 000006
【図５】
2013179463.tif 000007
【図６】
2013179463.tif 000008
【図７】
2013179463.tif 000009
【図８】
2013179463.tif 000010
【図９】
2013179463.tif 000011
【図１０】
2013179463.tif 000012
【図１１】
2013179463.tif 000013
【図１２】
2013179463.tif 000014
【図１３】
2013179463.tif 000015
【図１４】
2013179463.tif 000016